(57)【要約】【課題】  容易に着用でき、且つ、着用時に目立つことがなく、十分に加圧できるリンパ浮腫治療用ベルトを提供する。【解決手段】  リンパ浮腫治療用ベルト２０Ａは、患者１００のウエスト部１０３に巻着自在なウエストベルト部２１と、両端が二股形状部及び中間合流部２２ｂとに形成された加圧ベルト部２２とを備えている。ウエストベルト部２１をウエスト部１０３に巻着し、二股形状部２２ｃの先端部Ｐ１，Ｐ１をフック２４，２４に張着するだけで、容易に着用可能であり、且つ、着用時に目立つことがないものでありながら、中間合流部及び二股形状部分２２ｃ、並びにシート部２３Ａが、患者の陰部１０２、鼠径部１０４及び下腹部１０１をリンパ液の流れを良好にする方向（例えば矢印Ｄ方向，矢印Ｅ方向）に十分に加圧する。【選択図】      図１
0003113340.tif 000002
【実用新案登録請求の範囲】
【請求項１】
着用時に患者のウエスト部から股上部を覆って密着した状態で位置決めされる位置決め部と、
シート状に形成されると共に前記位置決め部に張着されて支持され、患者の鼠径部及び下腹部をリンパ液の流れを良好にする方向に加圧する加圧部と、
患者の臀部下方から左右に帯状に張着されて前記位置決め部に、臀部をウエスト部方向に押上げる臀部押上げ部と、を備え、パンツ状に形成された、
ことを特徴とするリンパ浮腫治療用パンツ。
【請求項２】
患者の大腿部の中間より上方を覆う短型裾部を備えた、
ことを特徴とする請求項１に記載のリンパ浮腫治療用パンツ。
【請求項３】
患者の膝上より上方の大腿部を覆う長型裾部を備えた、
ことを特徴とする請求項１に記載のリンパ浮腫治療用パンツ。
【請求項４】
前記加圧部が二重のシート状に形成された、
ことを特徴とする請求項１乃至３のいずれか１項に記載のリンパ浮腫治療用パンツ。
【請求項５】
ベルト状に形成され、患者のウエスト部に巻着自在なウエストベルト部と、
ベルト状で両端が二股形状に形成され、一端の二股形状部分の両先端部が前記ウエストベルト部の腰位置付近に固着され、他端の二股形状部分の両先端部が前記ウエストベルト部の左右脇腹付近に張着自在な加圧ベルト部と、
前記他端の二股形状部分の股割れ付根部分にシート状に張着されたシート部と、を備え、
着用時に患者の股部を通る中間合流部及び前記他端の二股形状部分及び前記シート部が、患者の陰部、鼠径部及び下腹部をリンパ液の流れを良好にする方向に加圧する、
ことを特徴とするリンパ浮腫治療用ベルト。
【請求項６】
装着時に上下方向となる縫目を有し、且つ、患者の下腹部の形状に合わせて形成されたクッションを２枚備え、前記２枚のクッションが上方に向けて開口された開口部を有するように袋状に縫合され、前記開口部に手を挿入しながら、前記請求項５に記載のリンパ浮腫治療用ベルトのシート部の内側に患者の腹部を加圧するように装着し得る、
ことを特徴とするリンパ浮腫治療用腹部パット。
【請求項７】
縦方向に縫目を有するクッション本体と、前記クッション本体の横方向両端に折り返し自在な２つの羽根部と、前記羽根部に設けられ、前記請求項５記載のリンパ浮腫治療用ベルトの中間合流部に前記２つの羽根部を折り返して巻回した際に互いの前記羽根部を付着自在な付着部と、を備え、
前記請求項５に記載のリンパ浮腫治療用ベルトの着用時に前記クッション本体が患者の陰部を加圧するように、前記中間合流部に装着し得る、
ことを特徴とするリンパ浮腫治療用陰部パット。
【請求項８】
前記シート部が、陰のうを身体の左右方向における内側方向に加圧支持し、且つ、下腹部をリンパ液の流れを良好にする方向に加圧する２枚の左右シートと、を備え、前記左右シートが左右位置に配置されるように縫合されてカップ状に形成され、男性の患者が着用し得るように構成された、
ことを特徴とする請求項５に記載のリンパ浮腫治療用ベルト。
【請求項９】
縦方向となる縫目を有し、且つ、患者の陰のう、下腹部、及び股部の形状に合わせて形成されたクッションと、前記クッションと前記請求項８記載のリンパ浮腫治療用ベルトの中間合流部とを着脱自在な着脱部と、を備え、
前記請求項８に記載のリンパ浮腫治療用ベルトの着用時に前記クッションが患者の下腹部及び股部を加圧するように、前記シート部及び前記中間合流部の内側に装着し得る、
ことを特徴とするリンパ浮腫治療用股間部パット。
【考案の詳細な説明】
【技術分野】
【０００１】
本考案は、リンパ浮腫によるむくみを和らげることを目的とする、リンパ浮腫治療用パンツ、リンパ浮腫治療用ベルト、リンパ浮腫治療用腹部パット、リンパ浮腫治療用陰部パット、リンパ浮腫治療用股間部パットに関する。
【背景技術】
【０００２】
一般に、リンパ浮腫には様々な原因があるとされているが、主として、癌手術によるリンパ節の切除や放射線照射によるリンパ管の破損などによって、リンパ管が閉塞して起こる場合が多い。リンパ液を貯留するリンパ管が閉塞されると、リンパ循環が阻害され、皮下組織内にリンパ液が滞留して浮腫が生じる。
【０００３】
リンパ浮腫によるむくみを和らげる治療として、薬物療法は即効性を期待できないのが現状であり、むくんだ患部を挙上する、動かす又は刺激する（リンパ誘導マッサージ等）などしてむくみを軽減し、軽減状態を維持するために該患部を圧迫し、リンパ液の流れを改善するものなどが知られている。
【０００４】
このような治療に用いられるものとして、種々の弾性ストッキング又は弾性スリ−ブが存在する。また、このような弾性ストッキング又は弾性スリーブの中には、本体にベルトが複数本備えられたもの（例えば特許文献１）もあり、これらのベルトを締め付けることにより、むくんだ患部をその外側から加圧し、リンパ液の流れを改善することでむくみを和らげている。
【０００５】
【特許文献１】特表平１１−５０１８２８号公報
【考案の開示】
【考案が解決しようとする課題】
【０００６】
しかし、上述したような弾性ストッキングや弾性スリーブは、普通のストッキングやスリーブとは異なり、伸縮性が強かったり、身体を覆う部分が長かったりしていて、着用補助グッズが存在する程、患者によっては着用が困難な場合が多い。
【０００７】
また、上述したような弾性ストッキングや弾性スリーブは、圧力の強さにより種類が分かれているため、選択が多様化することで患者が負担に感じる虞がある。
【０００８】
また、上述したような複数のベルトを備えた弾性ストッキングや弾性スリーブは、着用すると上述のベルトがかさ張ってしまうため、目立ってしまうという問題がある。そのため、患者の精神的苦痛に対する配慮に欠ける虞があった。
【０００９】
そこで、本考案は、容易に着用でき、且つ、着用時に目立つことがなく、十分に加圧できるリンパ浮腫治療用パンツ、リンパ浮腫治療用ベルト、リンパ浮腫治療用腹部パット、リンパ浮腫治療用陰部パット、リンパ浮腫治療用股間部パットを提供することを目的とする。
【課題を解決するための手段】
【００１０】
上記課題を解決するため、請求項１に係る本考案は（例えば図１乃至図３参照）、着用時に患者（１００）のウエスト部（１０３）から股上部（１０６ａ）を覆って密着した状態で位置決めされる位置決め部（３）と、シート状に形成されると共に前記位置決め部（３）に張着されて支持され、患者の鼠径部（１０４）及び下腹部（１０１）をリンパ液の流れを良好にする方向（例えば矢印Ａ方向、矢印Ｃ方向）に加圧する加圧部（２Ａ、２Ｂ）と、患者（１００）の臀部（１０５）下方から左右に帯状に張着されて前記位置決め部（３）に、臀部（１０５）をウエスト部方向（例えば矢印Ｂ方向）に押上げる臀部押上げ部（４）と、を備え、パンツ状に形成された、
ことを特徴とするリンパ浮腫治療用パンツ（１Ａ、１Ｂ）にある。
【００１１】
請求項２に係る本考案は（例えば図１及び図２参照）、患者（１００）の大腿部の中間より上方（１０７）を覆う短型裾部（５Ａ）を備えた、
ことを特徴とする請求項１に記載のリンパ浮腫治療用パンツ（１Ａ）にある。
【００１２】
請求項３に係る本考案は（例えば図３参照）、患者（１００）の膝上より上方の大腿部（１０８）を覆う長型裾部（５Ｂ）を備えた、
ことを特徴とする請求項１に記載のリンパ浮腫治療用パンツ（１Ｂ）にある。
【００１３】
請求項４に係る本考案は（例えば図３参照）、前記加圧部（２Ｂ）が二重のシート状に形成された、
ことを特徴とする請求項１乃至３のいずれか１項に記載のリンパ浮腫治療用パンツ（１Ｂ）にある。
【００１４】
請求項５に係る本考案は（例えば図４乃至図６、及び図９乃至図１１参照）、ベルト状に形成され、患者（１００）のウエスト部（１０３）に巻着自在なウエストベルト部（２１）と、ベルト状で両端が二股形状（２２ａ，２２ｃ）に形成され、一端の二股形状部分（２２ａ）の両先端部（Ｐ２）が前記ウエストベルト部（２１）の腰位置（１１０）付近に固着され、他端の二股形状部分（２２ｃ）の両先端部（Ｐ１）が前記ウエストベルト部（２１）の左右脇腹（１０９ａ，１０９ｂ）付近に張着自在な加圧ベルト部（２２）と、前記他端の二股形状部分（２２ｃ）の股割れ付根部分にシート状に張着されたシート部（２３Ａ、２３Ｂ）と、を備え、着用時に患者（１００）の股部（１１２）を通る中間合流部（２２ｂ）及び前記他端の二股形状部分（２２ｃ）及び前記シート部（２３Ａ、２３Ｂ）が、患者の陰部（１０２）、鼠径部（１０４）及び下腹部（１０１）をリンパ液の流れを良好にする方向（例えば矢印Ｄ方向，矢印Ｅ方向、矢印Ｉ方向、矢印Ｊ方向）に加圧する、
ことを特徴とするリンパ浮腫治療用ベルト（２０Ａ、２０Ｂ）にある。
【００１５】
請求項６に係る本考案は（例えば図７参照）、装着時に上下方向（例えば矢印Ｆ方向）となる縫目（３１）を有し、且つ、患者（１００）の下腹部（１０１）の形状に合わせて形成されたクッション（３３，３４）を２枚備え、前記２枚のクッション（３３，３４）が上方に向けて開口された開口部（３２）を有するように袋状に縫合され、前記開口部（３２）に手を挿入しながら、前記請求項５に記載のリンパ浮腫治療用ベルト（２０Ａ）のシート部（２３Ａ）の内側に患者の腹部を加圧するように装着し得る、
ことを特徴とするリンパ浮腫治療用腹部パット（３０）にある。
【００１６】
請求項７に係る本考案は（例えば図８参照）、縦方向に縫目（４４）を有するクッション本体（４０Ｍ）と、前記クッション本体（４０Ｍ）の横方向両端に折り返し自在な２つの羽根部（４１Ａ，４１Ｂ）と、前記羽根部（４１Ａ，４１Ｂ）に設けられ、前記請求項５記載のリンパ浮腫治療用ベルト（２０Ａ）の中間合流部（２２ｂ）に前記２つの羽根部（４１Ａ，４１Ｂ）を折り返して巻回した際に互いの前記羽根部（４１Ａ，４１Ｂ）を付着自在な付着部（４２Ａ，４２Ｂ）と、を備え、前記請求項５に記載のリンパ浮腫治療用ベルト（２０Ａ）の着用時に前記クッション本体（４０Ｍ）が患者（１００）の陰部（１０２）を加圧するように、前記中間合流部（２２ｂ）に装着し得る、
ことを特徴とするリンパ浮腫治療用陰部パット（４０）にある。
【００１７】
請求項８に係る本考案は（例えば図１０及び図１１参照）、前記シート部が、陰のう（１１１）を身体の左右方向における内側方向（例えば矢印Ｉ方向）に加圧支持し、且つ、下腹部（１０１）をリンパ液の流れを良好にする方向（例えば矢印Ｊ方向）に加圧する２枚の左右シート（２５ａ，２５ｂ）と、を備え、前記左右シート（２５ａ，２５ｂ）が左右位置に配置されるように縫合されてカップ状に形成され、男性の患者が着用し得るように構成された、
ことを特徴とする請求項５に記載のリンパ浮腫治療用ベルト（２０Ｂ）にある。
【００１８】
請求項９に係る本考案は（例えば図１１及び図１２参照）、縦方向となる縫目（５８）を有し、且つ、患者の陰のう（１１１）、下腹部（１０１）、及び股部（１１２）の形状に合わせて形成されたクッション（５７）と、前記クッション（５７）と前記請求項８記載のリンパ浮腫治療用ベルト（２０Ｂ）の中間合流部（２２ｂ）とを着脱自在な着脱部（５９）と、を備え、
前記請求項８に記載のリンパ浮腫治療用ベルト（２０Ｂ）の着用時に前記クッション（５７）が患者の下腹部（１０１）及び股部（１１２）を加圧するように、前記シート部（２３Ｂ）及び前記中間合流部（２２ｂ）の内側に装着し得る、
ことを特徴とするリンパ浮腫治療用股間部パット（５０）にある。
【００１９】
なお、上記カッコ内の符号は、図面と対照するためのものであるが、これは、考案の理解を容易にするための便宜的なものであり、実用新案登録請求の範囲の構成に何等影響を及ぼすものではない。
【考案の効果】
【００２０】
請求項１に係る本考案によると、患者が本リンパ浮腫治療用パンツを着用することで、シート状に形成されると共に位置決め部に張着されて支持された加圧部が、患者の鼠径部及び下腹部をリンパ液の流れを良好にする方向に加圧するので、患者の鼠径部や下腹部におけるリンパ液の流れを特に心臓方向に向けて補助する形で、その流れを良好にすることができ、リンパ液が溜まることを防ぐことができて、むくみを和らげることができる。また、臀部押上げ部が患者の臀部下方から左右に帯状に臀部をウエスト部方向に押上げるので、患者が下半身に感じる鈍重感を緩和することができ、腰の負担も和らげることができる。更に、パンツ形状に形成されているので、下着として着用できると共に、容易に着用することができ、且つ着用した際に目立つことを防ぐことができる。また、臀部押上げ部が臀部を支えるので、尻の形を良く見せることもできる。
【００２１】
請求項２に係る本考案によると、患者の大腿部の中間より上方を覆う短型裾部が、患者の大腿部の中間より上方をリンパ液の流れを良好にする方向に加圧するので、大腿部の上方におけるリンパ液の流れを良好にすることができ、より効果的にむくみを和らげることができる。
【００２２】
請求項３に係る本考案によると、患者の膝上より上方の大腿部を覆う長型裾部が、患者の膝上より上方の大腿部をリンパ液の流れを良好にする方向に加圧するので、大腿部の全体におけるリンパ液の流れを良好にすることができ、更に効果的にむくみを和らげることができる。
【００２３】
請求項４に係る本考案によると、二重のシート状に形成された加圧部が、患者の鼠径部及び下腹部をリンパ液の流れを良好にする方向により強く加圧するので、リンパ液の流れをより良好にすることができ、リンパ液が鼠径部に溜まることをより効果的に防ぐことができて、むくみを和らげることができる。
【００２４】
請求項５に係る本考案によると、加圧ベルト部における他端の二股形状部分の両先端部をウエストベルト部の左右脇腹部に張着しつつ本リンパ浮腫治療用ベルトを着用することで、加圧ベルト部の中間合流部及び他端の二股形状部分及びシート部が、患者の陰部、下腹部及び鼠径部をリンパ液の流れを良好にする方向に加圧するので、患者の陰部、鼠径部、及び下腹部におけるリンパ液の流れを特に心臓方向に向けて補助する形で、その流れを良好にすることができ、リンパ液が溜まることを防ぐことができて、むくみを和らげることができる。また、加圧ベルト部の他端の二股形状部をウエストベルト部に張度を調節しつつ着用することができるので、患者の身体やむくみの度合いによって加圧ベルト部の締め具合を緩めたり、きつくしたりすることができ、患者の長時間に及ぶ着用にも適応することができる。なお、リンパ浮腫治療用パンツと同時に着用することで更に患者の下腹部や鼠径部をリンパ液の流れを良好にする方向に加圧するので、更にむくみを和らげることもできる。
【００２５】
請求項６に係る本考案によると、特に女性の患者がリンパ浮腫治療用ベルトのシート部の内側に装着することで、患者の下腹部への加圧をより強くすると共に、上下方向に向いた縫目がリンパ液の流れを阻害せずに良好にする方向に加圧するので、下腹部におけるリンパ液の流れをより良好にすることができ、リンパ液が溜まることを防ぐことができて、むくみを和らげることができる。また、患者の下腹部の形状に合わせて形成された２枚のクッションが、上方に向けて開口されるように袋状に縫合されており、開口部に手を挿入しながら装着できるので、容易に位置合わせができると共に、簡単に装着することができる。
【００２６】
請求項７に係る本考案によると、特に女性の患者がリンパ浮腫治療用ベルトの中間合流部に巻回装着した状態で該リンパ浮腫治療用ベルトを着用することで、患者の陰部への加圧をより強くすると共に、縦方向の縫目がリンパ液の流れを阻害せずに良好にする方向に加圧するので、陰部におけるリンパ液の流れをより良好にすることができ、リンパ液が溜まることを防ぐことができて、むくみを和らげることができる。また付着部によって中間合流部に対する装着状態を維持するので、患者が用便等でリンパ浮腫治療用ベルトを外した際に脱落することを防ぐことができる。
【００２７】
請求項８に係る本考案によると、左右シートが、陰のうを身体の左右方向における内側方向に加圧支持し、且つ、下腹部をリンパ液の流れを良好にする方向に加圧するように、シート部がカップ状に形成されているので、特に男性の患者が該リンパ浮腫治療用ベルトを着用した際に、陰のうを外側に押し広げることなく内側に適度に加圧して支持し、例えば陰のうがむくんだ太腿によって圧迫されることを防ぐと共に、下腹部におけるリンパ液の流れを良好にすることができ、リンパ液が溜まることを防ぐことができて、むくみを和らげることができる。
【００２８】
請求項９に係る本考案によると、特に男性の患者が請求項８に記載のリンパ浮腫治療用ベルトのシート部及び中間合流部の内側に装着することで、患者の下腹部及び股部への加圧をより強くし、且つ縦方向に向いた縫目がリンパ液の流れを阻害せずに良好にする方向に加圧するので、下腹部及び股部におけるリンパ液の流れをより良好にすることができ、リンパ液が溜まることを防ぐことができて、むくみを和らげることができる。また着脱部によって中間合流部に対する装着状態を維持することができるので、患者が用便等でリンパ浮腫治療用ベルトを外した際に脱落することを防ぐことができる。
【考案を実施するための最良の形態】
【００２９】
以下、本考案を実施するための最良の形態について、図面を用いて詳細に説明する。
【００３０】
＜実施の形態１＞
以下、本考案に係る実施の形態１を図１及び図２に沿って説明する。図１は実施の形態１に係るリンパ浮腫治療用パンツを示す正面図、図２は実施の形態１に係るリンパ浮腫治療用パンツを示す背面図である。
【００３１】
なお、以下の説明において、例えば患者１００の身体の各部について、胴体前側の下方付近における図１中破線で示す部分１０１を「下腹部」、下腹部１０１の下方側で股付近における図１及び図２中破線で示す部分１０２を「陰部」、骨盤よりも上方で胸郭よりも下方である胴回りの中間部分における図１及び図２中破線で示す部分１０３を「ウエスト部」、上記下腹部１０１の左右両側であって両足付根の前側付近における図１中破線で示す部分１０４を「鼠径部」、胴体後側のウエスト部１０３よりも下方で陰部１０２より後側上方における図２中破線で示す部分１０５を「臀部」、上記鼠径部１０４付近、及び上記臀部の下方側を境界として図１及び図２中破線１０６よりも上側部分１０６ａを「股上部」、該破線１０６よりも下側部分１０６ｂを「股下部」という。
【００３２】
図１及び図２に示すように、本考案に係るリンパ浮腫治療用パンツ１Ａは、女性が着用するに好適であり、パンツ本体（位置決め部）３と、加圧シート部（加圧部）２Ａと、サポート帯（臀部押上げ部）４と、左右のスパッツ部（短型裾部）５Ａ，５Ａとが縫い合わされて構成されている。
【００３３】
上記パンツ本体３は、例えば弱い伸縮性を有する素材で形成されており、患者１００のウエスト部１０３の下方側で、且つ下腹部１０１及び臀部１０５を含む股上部１０６ａを覆って密着する形状に形成されている。
【００３４】
また、図１に示すように、上記パンツ本体３の患者１００の前側に位置する部分、特に下腹部１０１から鼠径部１０４の少なくとも一部を覆う部分には、加圧シート部２Ａが引張られた形で縫い合わされている（即ち、張着されて支持されている）。この加圧シート部２Ａは、例えばパンツ本体３の素材よりも強い伸縮性を有する素材、いわゆるパワーネットで形成されており、パンツ本体３に対して上方側左右に向けて徐々に引張り圧が強くなるように縫い合わされている。
【００３５】
一方、図２に示すように、サポート帯４は、例えば上記パンツ本体３よりもやや強い伸縮性を有する素材で形成されており、臀部１０５の下方部分から左右の両横部分にかけて該臀部１０５に沿ってパンツ本体３に縫い合わされている。このサポート帯４は、左右の両横部分が上方に引張られた状態でパンツ本体３に縫い合わされている（張着されて支持されている）。
【００３６】
なお、加圧シート部２Ａやサポート帯４は、パンツ本体３に対して重なるように（つまり二重となるように）縫い合わされていてもよいが、パンツ本体３との伸縮性の違いによりシワを生じる虞があるので、パンツ本体３が切り抜かれた形で、その切り抜かれた部分に縫い合わされている方がより好ましい。
【００３７】
上記スパッツ部５Ａ，５Ａは、例えば上記パンツ本体３よりもやや強い伸縮性を有する素材で形成されており、股下部１０６ｂから膝までに位置する大腿部の略々中間より上側部分である大腿部上側部分１０７を覆うような長さに形成されて、上記パンツ本体３の下方部分の両足付根部分（鼠径部１０４付近）にそれぞれ縫い合わされている。即ち、該スパッツ部５Ａは、２つの略々円筒形状に形成されて、両足の大腿部上側部分１０７を覆って締め付けるように構成されている。
【００３８】
本リンパ浮腫治療用パンツ１Ａを患者１００が着用すると、パンツ本体３が密着することによりウエスト部１０３（或いは臀部１０５）に対して位置決めされると共に、患者１００の下腹部１０１及び鼠径部１０４に密着する加圧シート部２Ａが該パンツ本体３に位置決め支持されながら下腹部１０１及び鼠径部１０４を矢印Ａ方向に引張る形で加圧する。このように矢印Ａ方向に引張って加圧することで、リンパ液が皮下組織内に溜まることを防ぐように加圧して、また、リンパ液の流れを心臓方向に向けて補助する形で良好にする。
【００３９】
また、サポート帯４がパンツ本体３に位置決め支持されながら臀部１０５を下方側より矢印Ｂ方向であるウエスト部１０３方向（即ち略々上方側）に押上げる。更に、スパッツ部５Ａ，５Ａが大腿部上側部分１０７を締め付け、リンパ液が皮下組織内に溜まることを防ぐように加圧して、リンパ液の流れを良好にする方向に加圧する。
【００４０】
以上説明した本リンパ浮腫治療用パンツ１Ａによると、加圧シート部２Ａにより患者１００の鼠径部１０４や下腹部１０１におけるリンパ液の流れを特に心臓方向に向けて補助する形で加圧することができ、リンパ液の流れを良好にすることができ、リンパ液が溜まることを防ぐことができて、むくみを和らげることができる。また、サポート帯４が患者１００の臀部１０５の下方から左右に帯状に臀部１０５をウエスト部１０３方向に押上げるので、患者１００が下半身に感じる鈍重感を緩和することができ、腰の負担も和らげることができる。
【００４１】
更に、本リンパ浮腫治療用パンツ１Ａは、パンツ形状に形成されているので、下着として着用できると共に、容易に着用することができ、且つ着用した際に目立つことを防ぐことができる。また、サポート帯４が臀部を支えるので、尻の形を良く見せることもできる。また、スパッツ部５Ａ，５Ａが、患者１００の大腿部上側部分１０７をリンパ液の流れを良好にする方向に加圧するので、大腿部の上方におけるリンパ液の流れを良好にすることができ、より効果的にむくみを和らげることができる。
【００４２】
なお、通常は、本リンパ浮腫治療用パンツ１Ａを着用する前に、患部の挙上やリンパ誘導マッサージをしてむくみを軽減し、その状態を圧迫して維持するために本リンパ浮腫治療用パンツ１Ａを着用することが望ましいが、これに限らず、患者１００が本リンパ浮腫治療用パンツ１Ａを着用したまま、運動をしたり日常動作を行うだけでも幹部の挙上やリンパ誘導マッサージに似た効果も得られる。
【００４３】
また、本リンパ浮腫治療用パンツ１Ａは、これ単体で使用する場合、患者の病状が軽度の場合に用いて好適であるが、後述のリンパ浮腫治療用ベルト、リンパ浮腫治療用腹部パット、或いはリンパ浮腫治療用陰部パット等と組合せ使用することも併せて、病状が重度の場合に対応することも可能となる。
【００４４】
＜実施の形態２＞
ついで、上記実施の形態１を一部変更した実施の形態２について、図３に沿って説明する。図３は実施の形態２に係るリンパ浮腫治療用パンツを示す正面図である。なお、以下に説明する実施の形態２に係るリンパ浮腫治療用パンツ１Ｂおいては、実施の形態１に係るリンパ浮腫治療用パンツ１Ａと略々同様の構成であるので、同様な部分には同符号を付して、その説明を省略し、相違する部分だけを説明する。
【００４５】
図３に示すように、本リンパ浮腫治療用パンツ１Ｂは、同様に女性が着用するに好適であり、前述のリンパ浮腫治療用パンツ１Ａの加圧シート部２Ａの部分に、更にパワーネットを重ねて縫い合わせ、加圧シート部２Ｂを二重のシート状に形成したものである。また、前述のスパッツ部５Ａ，５Ａに換えて、該スパッツ部５Ａ，５Ａよりも長く、股下部１０６ｂから膝の上までに位置する大腿部の略々全体部分１０８を覆うような長さに形成されたスパッツ部（長型裾部）５Ｂ，５Ｂを備えて構成したものである。なお、本リンパ浮腫治療用パンツ１Ｂの後側には、実施の形態１と同様のサポート帯４が備えられている。
【００４６】
本リンパ浮腫治療用パンツ１Ｂを患者１００が着用すると、患者１００の下腹部１０１及び鼠径部１０４に密着し、二重のシート状からなる加圧シート部２Ｂが、該パンツ本体３に位置決め支持されながら下腹部１０１及び鼠径部１０４を前述の加圧シート部２Ａよりも強い張力の矢印Ｃ方向に引張る形で加圧する。このように矢印Ｃ方向に引張って加圧することで、リンパ液が皮下組織内に溜まることを防ぐようにより強く加圧して、また、リンパ液の流れを心臓方向に向けてより強く補助する形で良好にする。
【００４７】
また、スパッツ部５Ｂ，５Ｂが大腿部の略々全体部分１０８を締め付け、リンパ液が皮下組織内に溜まることを防ぐように加圧して、略々大腿部全体のリンパ液の流れを良好にする方向に加圧する。
【００４８】
以上説明した本リンパ浮腫治療用パンツ１Ｂによると、加圧シート部２Ｂにより患者１００の鼠径部１０４や下腹部１０１におけるリンパ液の流れを特に心臓方向に向けて補助する形でより強く加圧することができ、リンパ液の流れをより良好にすることができ、リンパ液が溜まることを防ぐことができて、むくみを和らげることができる。また、サポート帯４が患者１００の臀部１０５の下方から左右に帯状に臀部１０５をウエスト部１０３方向に押上げるので、患者１００が下半身に感じる鈍重感を緩和することができ、腰の負担も和らげることができる。
【００４９】
更に、本リンパ浮腫治療用パンツ１Ａは、パンツ形状に形成されているので、下着として着用できると共に、容易に着用することができ、且つ着用した際に目立つことを防ぐことができる。また、サポート帯４が臀部を支えるので、尻の形を良く見せることもできる。また、スパッツ部５Ｂ，５Ｂが、患者１００の大腿部の略々全体部分１０８をリンパ液の流れを良好にする方向に加圧するので、大腿部全体におけるリンパ液の流れを良好にすることができ、更に効果的にむくみを和らげることができる。
【００５０】
なお、実施の形態１と同様に、患者１００が本リンパ浮腫治療用パンツ１Ｂを着用したまま、運動をしたり日常動作を行うだけでも幹部の挙上やリンパ誘導マッサージに似た効果も得られる。
【００５１】
また、本リンパ浮腫治療用パンツ１Ｂは、これ単体で使用する場合、患者の病状が中度の場合に用いて好適であるが、後述のリンパ浮腫治療用ベルト、リンパ浮腫治療用腹部パット、或いはリンパ浮腫治療用陰部パット等と組合せ使用することも併せて、病状が重度の場合に対応することも可能となる。
【００５２】
＜実施の形態３＞
つづいて、本考案に係る実施の形態３について、図４乃至図６に沿って説明する。図４は実施の形態３に係るリンパ浮腫治療用ベルトを示す正面図、図５は実施の形態３に係るリンパ浮腫治療用ベルトを示す背面図、図６は実施の形態３に係るリンパ浮腫治療用ベルトを示す模式展開図である。
【００５３】
なお、以下の説明において、例えば患者１００の身体の各部について、ウエスト部１０３の左右両側における図４中破線で示す部分１０９ａ，１０９ｂを「左右脇腹」、ウエスト部の後側の中程における図５中破線で示す部分１１０を「腰位置」、陰部１０２を含む両足付根の内側近傍における図４及び図５中破線で示す部分１１２を「股部」という。また、その他の部分は、実施の形態１と同様な符号を付して、同様に定義する。
【００５４】
図６に示すように、本リンパ浮腫治療用ベルト２０Ａは、特に女性が着用するに好適であり、大まかに、ウエストベルト部２１と、加圧ベルト部２２と、シート部２３Ａとを備えて構成されている。
【００５５】
ウエストベルト部２１は、１本のベルト状に形成されており、端部２１ａ及び端部２１ｂに図示を省略したマジックテープ（登録商標）が備えられている。また、ウエストベルト部２１の、着用時に左右脇腹付近１０９ａ，１０９ｂに位置する部分には（図４参照）、フック２４Ａ，２４Ｂが固着されている。
【００５６】
加圧ベルト部２２は、２本のベルト２２Ａ，２２Ｂが中間部分において縫い合わされて形成されており、全体として、両端が二股形状に形成されている。これにより、一端の二股形状部２２ａ、中間合流部２２ｂ、他端の二股形状部２２ｃが形成されることになる。その二股形状部２２ａの両先端部Ｐ２，Ｐ２は、上記ウエストベルト部２１の、装着時に腰付近１１０の位置となる部分に（図５参照）、縫い合わされて固着されている。また、他端の二股形状部２２ｃの先端部Ｐ１，Ｐ１は、所定の長さのマジックテープ（登録商標）部分２２ｄ，２２ｄに形成されている。
【００５７】
そして、シート部２３Ａは、例えば伸縮性を有する素材で形成されており、上記二股形状部２２ｃの二股形状である付根部分に対して縫い合わされてシート状に張着されている。
【００５８】
なお、ウエストベルト部２１及び加圧ベルト２２の２本のベルト２２Ａ，２２Ｂは、縁部分が、図４及び図５中の破線で示すようにスティッチされて（縫われて）、解れないように形成されているが、その縫目が内側（身体に密着する側）に突出しないようにスティッチされており、つまり縫目がリンパ液の流れを阻害しないように形成されている。また、中間合流部２２ｂにおけるベルト２２Ａ，２２Ｂの縫い合わせ部分やシート部２３Ａの縫い合わせ部分についても同様に内側に突出しないようにスティッチされている。
【００５９】
ついで、本リンパ浮腫治療用ベルト２０Ａを装着する際は、まず、図４に示すように、ウエストベルト部２１を患者１００のウエスト部１０３に巻回し、端部２１ａ，２１ｂを重ね合わせて不図示のマジックテープ（登録商標）を付着させることによって、該ウエスト部１０３に巻着させる。つづいて、図５に示すように、加圧ベルト部２２を腰部１１０より股部１１２を通して身体の前側に這わせ、図４に示すように、二股形状部２２ｃの先端部Ｐ１，Ｐ１をフック２４，２４にそれぞれ通して折り返し、患者１００が張度を調整しつつ引張りながらマジックテープ（登録商標）部分２２ｄ、２２ｄを貼り合わせる。
【００６０】
これにより、本リンパ浮腫治療用ベルト２０Ａを装着すると、ウエストベルト部２１が巻着されることによりウエスト部１０３に対して位置決めされると共に、加圧ベルト部２２のフック２４，２４に対する張度に応じて、中間合流部２２ｂが陰部１０２を加圧すると共に、二股形状部２２ｃが下腹部１０１乃至鼠径部１０４を矢印Ｄ方向に引張る形で加圧する。また、シート部２３Ａが下腹部１０１を矢印Ｅ方向に引張る形で加圧する。そのため、陰部１０２、下腹部１０１、及び鼠径部１０４におけるリンパ液が皮下組織内に溜まることを防ぐように加圧して、また、リンパ液の流れを心臓方向に向けて補助する形で良好にする。
【００６１】
以上説明した本リンパ浮腫治療用ベルト２０Ａによると、特に女性が着用した場合、患者の陰部１０２、鼠径部１０４、及び下腹部１０１におけるリンパ液の流れを特に心臓方向に向けて補助する形で、その流れを良好にすることができ、リンパ液が溜まることを防ぐことができて、むくみを和らげることができる。また、加圧ベルト部２２の二股形状部２２ｃをウエストベルト部２１に張度を調節しつつ着用することができるので、患者１００の身体やむくみの度合いによって加圧ベルト部２２の締め具合を緩めたり、きつくしたりすることができ、患者の長時間に及ぶ着用にも適応することができる。
【００６２】
なお、以上説明した本実施の形態３に係るリンパ浮腫治療用ベルト２０Ａは、これ単体で使用する場合、患者の病状が重度の場合に用いて好適であるが、図４及び図５に示すように、上述した実施の形態１又は実施の形態２に係るリンパ浮腫治療用パンツ１Ａ又は１Ｂと同時に着用することができて、更に患者の下腹部１０１や鼠径部１０４をリンパ液の流れを良好にする方向に加圧することができ、更にむくみを和らげることもできる。
【００６３】
また、本実施の形態３に係るリンパ浮腫治療用ベルト２０Ａにおいては、ウエストベルト部２１の端部２１ａ，２１ｂや二股形状部２２ｃの先端部分にマジックテープ（登録商標）を用いたものを説明したが、これに限らず、例えばボタン、フック、バックル等を用いてもよく、つまりウエストベルト部２１がウエスト部１０３に巻着でき、加圧ベルト部２２が張度を調整しつつウエストベルト部２１に張着できるものであれば、どのようなものであってもよい。
【００６４】
＜実施の形態４＞
つづいて、本考案に係る実施の形態４について、図７に沿って説明する。図７は実施の形態４に係るリンパ浮腫治療用腹部パットを示す正面図である。
【００６５】
図７に示すように、本リンパ浮腫治療用腹部パット３０は、上述の実施の形態３に係るリンパ浮腫治療用ベルト２０Ａを着用した女性の患者が使用するに好適であり、２枚のクッション３３，３４を備えて構成されている。
【００６６】
各クッション３３、３４は、概ね患者１００の下腹部１０１の形状に合わせた平面視略逆三角形状に形成されており、言い換えると、上記リンパ浮腫治療用ベルト２０Ａのシート部２３Ａの形状に合わせて形成されている。また、各クッション３３、３４は、内部にウレタンフォームが詰められて形成されていると共に、装着時に上下方向となる縫目３１を有して内部のウレタンフォームが偏らないように形成されており、縫目３１と縫目３１との間に凸形状が形成されて、つまり縦方向の蒲鉾形状が並列に存するように形成されている。
【００６７】
２枚のクッション３３，３４は、両横部分及び下方部分が縫目３５により互いに縫い合わされて、上方に向けて開口された開口部３２を有するように縫い合わされており、つまりリンパ浮腫治療用腹部パット３０は、袋部３６を有する袋状に形成されている。
【００６８】
本リンパ浮腫治療用腹部パット３０を装着する際は、まず、患者が上記リンパ浮腫治療用ベルト２０Ａを着用し、その後、開口部３２より袋部３６に手を挿入して、上記リンパ浮腫治療用ベルト２０Ａのシート部２３Ａの内側にその手を挿入する形で該リンパ浮腫治療用腹部パット３０を装着する。
【００６９】
これにより、上記リンパ浮腫治療用ベルト２０Ａのシート部２３Ａの加圧（張力）によってリンパ浮腫治療用腹部パット３０が下腹部１０１に押し付けられて、下腹部１０１を加圧する。この際、上述のようにクッション３３，３４の縫目３１が上下方向となるので、矢印Ｆ方向、即ち心臓方向にリンパ液の流れを補助する形で、リンパ液の流れを良好にする。
【００７０】
なお、例えばクッション３３，３４に横方向の縫目を設けると、クッション３３，３４の表面に横方向の凹凸ができてしまうため、リンパ液の流れを阻害する虞がある。また、縫目を全く設けないと、クッション３３，３４内にあるウレタンフォームが偏って、結果的に横方向の凹凸が生じてしまう虞がある。そのため、本リンパ浮腫治療用腹部パット３０においては、上下方向のみに縫目が設けられている。
【００７１】
また、クッション３３，３４は同形状に形成されており、つまり患者が本リンパ浮腫治療用腹部パット３０を装着する際に、表裏を選ぶ必要がないように構成されている。
【００７２】
更に、上述の袋部３６は、患者の手の大きさを考慮した適宜な大きさであることが好ましいが、少なくとも指が挿入し得る大きさであれば、同様に使用できることはいうまでもない。
【００７３】
以上説明した本リンパ浮腫治療用腹部パット３０によると、特に女性の患者がリンパ浮腫治療用ベルト２０Ａのシート部２３Ａの内側に装着することで、患者の下腹部１０１への加圧をより強くすると共に、上下方向に向いた縫目がリンパ液の流れを阻害せずに良好にする方向に加圧するので、下腹部１０１におけるリンパ液の流れをより良好にすることができ、リンパ液が溜まることを防ぐことができて、むくみを和らげることができる。また、患者の下腹部１０１の形状に合わせて形成された２枚のクッション３３，３４が、上方に向けて開口されるように袋状に縫合されており、開口部３２に手を挿入しながら装着できるので、容易に位置合わせができると共に、簡単に装着することができる。
【００７４】
なお、以上説明した本実施の形態４に係るリンパ浮腫治療用腹部パット３０は、リンパ浮腫治療用ベルト２０Ａと組み合わせて用いるものであって、患者の病状が（特に下腹部において）更に重度の場合に用いて好適である。また、上述した実施の形態１又は実施の形態２に係るリンパ浮腫治療用パンツ１Ａ又は１Ｂと同時に着用することができて、更に患者の下腹部１０１や鼠径部１０４をリンパ液の流れを良好にする方向に加圧することができ、更にむくみを和らげることもできる。
【００７５】
また、本実施の形態４に係るリンパ浮腫治療用腹部パット３０においては、クッション３３，３４の内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。
【００７６】
＜実施の形態５＞
つづいて、本考案に係る実施の形態５について、図８に沿って説明する。図８は実施の形態５に係るリンパ浮腫治療用陰部パットを示す図で、（ａ）は正面図、（ｂ）は装着時の斜視図である。
【００７７】
図８（ａ）に示すように、本リンパ浮腫治療用陰部パット４０は、上述の実施の形態３に係るリンパ浮腫治療用ベルト２０Ａを着用した女性の患者が使用するに好適であり、本体４０Ｍと羽根部４１Ａ，４１Ｂとを備えて構成されている。
【００７８】
上記本体４０Ｍ及び羽根部４１Ａ，４１Ｂは、内部にウレタンフォームが詰められた１枚のクッションで構成されており、平面視略菱形状に形成されている。また、上記本体４０Ｍ及び羽根部４１Ａ，４１Ｂには、縦方向に縫目４４を有して内部のウレタンフォームが偏らないように形成されており、縫目４４と縫目４４との間に凸形状が形成されて、つまり縦方向の蒲鉾形状が並列に存するように形成されている。
【００７９】
本体４０Ｍは、上記リンパ浮腫治療用ベルト２０Ａの中間合流部２２ｂの幅を有しており、その横方向両端部分が折り返し線４３，４３により折り返し自在な２つの羽根部４１Ａ，４１Ｂとなっている。
【００８０】
該羽根部４１Ａの端部近傍には、マジックテープ（登録商標）部（付着部）４２Ａが設けられており、反対側の羽根部４１Ｂの端部近傍には、上記マジックテープ（登録商標）部４２Ａとは反対側の面（つまり図中に示す面の裏面）にマジックテープ（登録商標）部（付着部）４２Ｂが設けられている。
【００８１】
本リンパ浮腫治療用陰部パット４０を装着する際は、まず、図８（ｂ）に示すように、上記リンパ浮腫治療用ベルト２０Ａの中間合流部２２ｂに、本体４０Ｍが内側となるように載置し、羽根部４１Ｂ、羽根部４１Ａを順に折り返し線４３，４３で折り返して巻回し、マジックテープ（登録商標）部４２Ｂにマジックテープ（登録商標）部４２Ａを付着させて、即ち羽根部４１Ａ，４２Ｂ同士を互いに付着させる。これにより、リンパ浮腫治療用陰部パット４０が上記リンパ浮腫治療用ベルト２０Ａの中間合流部２２ｂに装着される。そして、その後、患者が上記リンパ浮腫治療用ベルト２０Ａを着用すると、患者の陰部１０２と中間合流部２２ｂとの間に本体４０Ｍが配置されるように装着される。
【００８２】
これにより、上記リンパ浮腫治療用ベルト２０Ａの中間合流部２２ｂによってリンパ浮腫治療用陰部パット４０が陰部１０２に押し付けられて、陰部１０２を加圧する。この際、上述のように本体４０Ｍの縫目４４が縦方向であって、身体の前後方向となるので、矢印Ｇ−Ｈ方向にリンパ液の流れを補助する形で、リンパ液の流れを良好にする。
【００８３】
なお、上述のリンパ浮腫治療用腹部パット３０と同様に、例えばリンパ浮腫治療用陰部パット４０のクッションに横方向の縫目を設けると、表面に横方向の凹凸ができてしまうため、リンパ液の流れを阻害する虞がある。また、縫目を全く設けないと、クッション内にあるウレタンフォームが偏って、結果的に横方向の凹凸が生じてしまう虞がある。そのため、本リンパ浮腫治療用陰部パット４０においても、縦方向のみに縫目が設けられている。
【００８４】
また、本リンパ浮腫治療用陰部パット４０は表裏が略々同形状に形成されており、つまり患者が本リンパ浮腫治療用陰部パット４０を装着する際に、表裏を選ぶ必要がないように構成されている。なおこの際は、マジックテープ（登録商標）部４２Ａ，４２Ｂが雄雌逆になるが、付着させる機能として何ら変わりはない。
【００８５】
以上説明した本リンパ浮腫治療用陰部パット４０によると、特に女性の患者がリンパ浮腫治療用ベルト２０Ａの中間合流部２２ｂに巻回装着した状態で該リンパ浮腫治療用ベルトを着用することで、患者の陰部１０２への加圧をより強くすると共に、縦方向の縫目がリンパ液の流れを阻害せずに良好にする方向に加圧するので、陰部１０２におけるリンパ液の流れをより良好にすることができ、リンパ液が溜まることを防ぐことができて、むくみを和らげることができる。またマジックテープ（登録商標）部４２Ａ，４２Ｂによって中間合流部２２ｂに対する装着状態を維持することができるので、患者が用便等でリンパ浮腫治療用ベルト２０Ａを外した際に脱落することを防ぐことができる。
【００８６】
なお、本実施の形態５においては、羽根部４１Ａ，４１Ｂを互いに付着させるものの一例としてマジックテープ（登録商標）部４２Ａ，４２Ｂを用いたものを説明したが、特に羽根部４１Ａ，４１Ｂは患者の身体に触れない外側に位置するので、ボタンやフック等によって付着させるようなものであってもよい。
【００８７】
更に、本実施の形態５において、クッション本体４０Ｍ及び羽根部４１Ａ，４１Ｂの内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。
【００８８】
また、以上説明した本実施の形態５に係るリンパ浮腫治療用陰部パット４０は、リンパ浮腫治療用ベルト２０Ａと組み合わせて用いるものであって、患者の病状が（特に陰部において）更に重度の場合に用いて好適である。更に、上述した実施の形態１又は実施の形態２に係るリンパ浮腫治療用パンツ１Ａ又は１Ｂと同時に着用することができる。
【００８９】
＜実施の形態６＞
ついで、上記実施の形態３を一部変更した実施の形態６について、図９及び図１０に沿って説明する。図９は実施の形態６に係るリンパ浮腫治療用ベルトを示す模式展開図、図１０は実施の形態６に係るリンパ浮腫治療用ベルトのシート部を示す拡大正面図である。なお、以下に説明する実施の形態６に係るリンパ浮腫治療用ベルト２０Ｂおいては、実施の形態３に係るリンパ浮腫治療用ベルト２０Ａと略々同様の構成であるので、同様な部分には同符号を付して、その説明を省略し、相違する部分だけを説明する。
【００９０】
なお、以下の説明において、例えば患者１００の身体の部分について、下腹部１０１の下方側であって、男性の陰部付近における図１０中破線で示す部分１１１を「陰のう」という。また、その他の部分は、実施の形態１及び実施の形態３と同様な符号を付して、同様に定義する。
【００９１】
図９乃至図１０に示すように、本リンパ浮腫治療用ベルト２０Ｂは、男性の患者が着用するに好適であり、上述したリンパ浮腫治療用ベルト２０Ａのシート部２３Ａの代わりに、カップ状に形成されたシート部２３Ｂを備えたものである。該シート部２３Ｂは、図１０に示すように、左右位置に配置される２枚のシート２５ａ，２５ｂが略々中央で縫合されてカップ状に形成されており、詳細には、シート部２３Ｂの下部が男性の陰のう１１１に合わせた形状に形成され、また、シート部２３Ｂの上部が男性の下腹部１０１に密着するように形成されている。
【００９２】
上述の実施の形態３と同様に、リンパ浮腫治療用ベルト２０Ｂを装着すると、ウエストベルト部２１が巻着されることによりウエスト部１０３に対して位置決めされると共に、加圧ベルト部２２のフック２４，２４に対する張度に応じて、二股形状部２２ｃが下腹部１０１乃至鼠径部１０４を引張る形で加圧する。そして、シート部２３Ｂの下部が陰のう１１１を矢印Ｉ方向で示す身体の左右方向における内側方向に加圧支持し、上部が下腹部１０１を矢印Ｊ方向に引張る形で加圧する。そのため、陰のう１１１を左右外側に押し広げることなく、内側に適度に加圧して支持し、例えば太腿がむくんでしまった際に陰のう１１１がむくんだ太腿によって圧迫されることを防ぐと共に、下腹部１０１、及び鼠径部１０４におけるリンパ液が皮下組織内に溜まることを防ぐように満遍なく加圧して、また、リンパ液の流れを心臓方向に向けて補助する形で良好にする。
【００９３】
以上説明した本男性用リンパ浮腫治療用ベルト２０Ｂによると、シート部２３Ｂの下部が陰のう１１１を身体の左右方向に対する内側方向に加圧支持すると共に、上部が下腹部１０１をリンパ液の流れを良好にする方向に加圧するように、全体としてシート部２３Ｂがカップ状に形成されているので、特に男性の患者がリンパ浮腫治療用ベルト２０Ｂを着用した際に、陰のう１１１を外側に押し広げることなく内側に適度に加圧して支持し、例えば太腿がむくんでしまった際に陰のう１１１がむくんだ太腿によって圧迫されることを防ぐと共に、下腹部１０１及び鼠径部１０４におけるリンパ液の流れを良好にすることができ、リンパ液が溜まることを防ぐことができて、むくみを和らげることができる。
【００９４】
なお、以上説明した本実施の形態６に係るリンパ浮腫治療用ベルト２０Ｂは、患者の病状が重度の場合に用いて好適である。
【００９５】
＜実施の形態７＞
つづいて、本考案に係る実施の形態７について、図１１及び図１２に沿って説明する。図１１は実施の形態７に係るリンパ浮腫治療用股間部パットの装着時を示す斜視図、図１２は実施の形態７に係るリンパ浮腫治療用股間部パットを示す正面図である。
【００９６】
図１１及び図１２に示すように、本リンパ浮腫治療用股間部パット５０は、上述の実施の形態６に係るリンパ浮腫治療用ベルト２０Ｂを着用した男性の患者が使用するに好適であり、１枚のクッション５７の上部５７Ａが装着時にカップ状をなるように形成されると共に、下部５７Ｂが該上部５７Ａと一体的に帯状に延設された形状に形成されて構成されている。
【００９７】
詳細には、該クッション５７の上部５７Ａが、概ね患者１００の下腹部１０１及び陰のう１１１の形状に合わせた平面視略扇形状に形成されていると共に、下部５７Ｂが概ね患者１００の股部１１２の形状に合わせた平面視略長方形状に形成されており、言い換えると、上記リンパ浮腫治療用ベルト２０Ｂのシート部２３Ｂ及び中間合流部２２ｂの形状に合わせて形成されている。また、クッション５７は、内部にウレタンフォームが詰められて形成されていると共に、装着時に上部５７Ａにおいては略々上下方向、下部５７Ｂにおいては略々身体の前後方向となる縦方向の縫目５８を有して内部のウレタンフォームが偏らないように形成されており、縫目５８と縫目５８との間に凸形状が形成されて、つまり縦方向の蒲鉾形状が並列に存するように形成されている。また、該クッション５７の下部５７Ｂの先端付近には、マジックテープ（登録商標）部（着脱部）５９が設けられている。なお、リンパ浮腫治療用ベルト２０Ｂの中間合流部２２ｂの内側にも、装着時に該マジックテープ（登録商標）部５９と対向する位置に不図示のマジックテープ（登録商標）部が設けられており、つまり両者が着脱自在に構成されている。
【００９８】
なお、図１２中の縫目５８は、クッション５７の上部において、上下方向に対して湾曲する形で表示しているが、これは平面図面として表示した結果であり、装着時にカップ状となるように形成されるクッション５７の上部において、縫目５８は図１１に示すように略々上下方向であり、前記中間合流部２２ｂに密着するクッション５７の下部においては略々身体の前後方向である。
【００９９】
本リンパ浮腫治療用股間部パット５０を装着する際は、まず、患者１００が上記リンパ浮腫治療用ベルト２０Ｂのシート部２３Ｂ及び中間合流部２２ｂの内側に該リンパ浮腫治療用腹部パット５０を載置し、クッション５７のマジックテープ（登録商標）部５９を該リンパ浮腫治療用ベルト２０Ｂの中間合流部２２ｂの内側のマジックテープ（登録商標）部（不図示）に付着させる。その後、患者が上記リンパ浮腫治療用ベルト２０Ｂを着用すると、患者の股部１１２と中間合流部２２ｂとの間にクッション５７の下部５７Ｂが、患者の下腹部１０１とシート部２３Ｂの間にクッション５７の上部５７Ａが配置されるように装着される。
【０１００】
これにより、上記リンパ浮腫治療用ベルト２０Ｂのシート部２３Ｂの加圧（張力）によってリンパ浮腫治療用股間部パット５０のクッション５７の上部５７Ａが、下腹部１０１を矢印Ｌ方向に引張る形で更に強く加圧すると共に上記リンパ浮腫治療用ベルト２０Ｂの中間合流部２２ｂによってリンパ浮腫治療用股間部パット５０のクッション５７の下部５７Ｂが中間合流部２２ｂに押し付けられて、股部１１２を加圧する。この際、上述のようにクッション５７の縫目５８が上下方向となるので、矢印Ｌ方向、即ち心臓方向に下腹部１０１のリンパ液の流れを補助する形で、リンパ液の流れを良好にすると共に、股部１１２においては、クッション５７の縫目５８が身体の前後方向となるので、矢印Ｍ−Ｎ方向にリンパ液の流れを補助する形で、リンパ液の流れを良好にする。また、陰のう１１１を身体の左右方向における内側方向により強く加圧支持し、例えば陰のう１１１がむくんだ太腿によって圧迫されることを防ぐ。更に、マジックテープ（登録商標）部５９によって中間合流部２２ｂに対する装着状態を維持することができるので、患者が用便等でリンパ浮腫治療用ベルト２０Ｂを外した際に脱落することを防ぐことができる。
【０１０１】
なお、上述の実施の形態４及び実施の形態５と同様に、例えばリンパ浮腫治療用股間部パット５０のクッションに横方向の縫目を設けると、表面に横方向の凹凸ができてしまうため、リンパ液の流れを阻害する虞がある。また、縫目を全く設けないと、クッション内にあるウレタンフォームが偏って、結果的に横方向の凹凸が生じてしまう虞がある。そのため、本リンパ浮腫治療用股間部パット５０においても、縦方向のみに縫目が設けられている。
【０１０２】
以上説明した本リンパ浮腫治療用股間部パット５０によると、特に男性の患者がリンパ浮腫治療用ベルト２０Ｂのシート部２３Ｂの内側に着用することで、患者の陰のう１１１を内側に適度に加圧して支持し、例えば陰のう１１１がむくんだ太腿によって圧迫されることを防ぐと共に下腹部１０１への加圧をより強くし、且つ上下方向に向いた縫目５８がリンパ液の流れを阻害せずに良好にする方向に加圧するので、下腹部１０１におけるリンパ液の流れをより良好にすることができ、リンパ液が溜まることを防ぐことができて、むくみを和らげることができる。
【０１０３】
なお、本実施の形態７において、クッション５７の内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。また、着脱部５９の一例としてマジックテープ（登録商標）を用いたものを説明したが、ボタンやフック等によって装着させるようなものであってもよい。
【０１０４】
以上、本考案をその好適な各実施の形態に基づいて説明したが、本考案のリンパ浮腫治療用パンツ、リンパ浮腫治療用ベルト、リンパ浮腫治療用腹部パット、リンパ浮腫治療用陰部パット、リンパ浮腫治療用股間部パットは、上記各実施の形態の構成にのみ限定されるものではなく、上記実施の形態の構成から種々の修正及び変更を施したものに用いられるものも、本考案の請求の範囲に含まれる。
【図面の簡単な説明】
【０１０５】
【図１】実施の形態１に係るリンパ浮腫治療用パンツを示す正面図である。
【図２】実施の形態１に係るリンパ浮腫治療用パンツを示す背面図である。
【図３】実施の形態２に係るリンパ浮腫治療用パンツを示す正面図である。
【図４】実施の形態３に係るリンパ浮腫治療用ベルトを示す正面図である。
【図５】実施の形態３に係るリンパ浮腫治療用ベルトを示す背面図である。
【図６】実施の形態３に係るリンパ浮腫治療用ベルトを示す模式展開図である。
【図７】実施の形態４に係るリンパ浮腫治療用腹部パットを示す正面図である。
【図８】実施の形態５に係るリンパ浮腫治療用陰部パットを示す図で、（ａ）は正面図、（ｂ）は装着時の斜視図である。
【図９】実施の形態６に係るリンパ浮腫治療用ベルトを示す模式展開図である。
【図１０】実施の形態６に係るリンパ浮腫治療用ベルトのシート部を示す拡大正面図である。
【図１１】実施の形態７に係るリンパ浮腫治療用股間部パットの装着時を示す斜視図である。
【図１２】実施の形態７に係るリンパ浮腫治療用股間部パットを示す正面図である。
【符号の説明】
【０１０６】
１Ａ    リンパ浮腫治療用パンツ
１Ｂ    リンパ浮腫治療用パンツ
２Ａ    加圧部（加圧シート部）
２Ｂ    加圧部（二重の加圧シート部）
３    位置決め部（パンツ本体）
４    臀部押上げ部（サポート帯）
５Ａ    短型裾部（スパッツ部）
５Ｂ    長型裾部（スパッツ部）
２０Ａ    リンパ浮腫治療用ベルト
２０Ｂ    リンパ浮腫治療用ベルト
２１    ウエストベルト部
２２    加圧ベルト部
２２ａ    一端の二股形状部分
２２ｂ    中間合流部
２２ｃ    他端の二股形状部分
２３Ａ    シート部
２３Ｂ    シート部
２５ａ    右部シート
２５ｂ    左部シート
３０    リンパ浮腫治療用腹部パット
３１    縫目
３２    開口部
３３    クッション
３４    クッション
４０    リンパ浮腫治療用陰部パット
４０Ｍ    クッション本体
４１Ａ    羽根部
４１Ｂ    羽根部
４２Ａ    付着部（マジックテープ（登録商標）部）
４２Ｂ    付着部（マジックテープ（登録商標）部）
４４    縫目
５０    リンパ浮腫治療用股間部パット
５７    クッション
５８    縫目
５９    着脱部（マジックテープ（登録商標）部）
１００    患者
１０１    下腹部
１０３    ウエスト部
１０４    鼠径部
１０５    臀部
１０６ａ    股上部
１０７    大腿部の中間より上側部分
１０８    膝上より上方の大腿部
１０９ａ    脇腹
１０９ｂ    脇腹
１１０    腰位置
１１２    股部
Ｐ１    他端の二股形状部分の先端部
Ｐ２    一端の二股形状部分の先端部
【図１】
0003113340.tif 000003
【図２】
0003113340.tif 000004
【図３】
0003113340.tif 000005
【図４】
0003113340.tif 000006
【図５】
0003113340.tif 000007
【図６】
0003113340.tif 000008
【図７】
0003113340.tif 000009
【図８】
0003113340.tif 000010
【図９】
0003113340.tif 000011
【図１０】
0003113340.tif 000012
【図１１】
0003113340.tif 000013
【図１２】
0003113340.tif 000014
【手続補正書】
【提出日】平成17年6月6日(2005.6.6)
【手続補正１】
【補正対象書類名】実用新案登録請求の範囲
【補正対象項目名】全文
【補正方法】変更
【補正の内容】
【実用新案登録請求の範囲】
【請求項１】
ベルト状に形成され、患者のウエスト部に巻着自在なウエストベルト部と、
ベルト状で両端が二股形状に形成され、一端の二股形状部分の両先端部が前記ウエストベルト部の腰位置付近に固着され、他端の二股形状部分の両先端部が前記ウエストベルト部の左右脇腹付近に張着自在な加圧ベルト部と、
前記他端の二股形状部分の股割れ付根部分にシート状に張着されたシート部と、を備え、
着用時に患者の股部を通る中間合流部及び前記他端の二股形状部分及び前記シート部が、患者の陰部、鼠径部及び下腹部をリンパ液の流れを良好にする方向に加圧する、
ことを特徴とするリンパ浮腫治療用ベルト。
【請求項２】
装着時に上下方向となる縫目を有し、且つ、患者の下腹部の形状に合わせて形成されたクッションを２枚備え、前記２枚のクッションが上方に向けて開口された開口部を有するように袋状に縫合され、前記開口部に手を挿入しながら、前記請求項１に記載のリンパ浮腫治療用ベルトのシート部の内側に患者の腹部を加圧するように装着し得る、
ことを特徴とするリンパ浮腫治療用腹部パット。
【請求項３】
縦方向に縫目を有するクッション本体と、前記クッション本体の横方向両端に折り返し自在な２つの羽根部と、前記羽根部に設けられ、前記請求項１記載のリンパ浮腫治療用ベルトの中間合流部に前記２つの羽根部を折り返して巻回した際に互いの前記羽根部を付着自在な付着部と、を備え、
前記請求項１に記載のリンパ浮腫治療用ベルトの着用時に前記クッション本体が患者の陰部を加圧するように、前記中間合流部に装着し得る、
ことを特徴とするリンパ浮腫治療用陰部パット。
【請求項４】
前記シート部が、陰のうを身体の左右方向における内側方向に加圧支持し、且つ、下腹部をリンパ液の流れを良好にする方向に加圧する２枚の左右シートと、を備え、前記左右シートが左右位置に配置されるように縫合されてカップ状に形成され、男性の患者が着用し得るように構成された、
ことを特徴とする請求項１に記載のリンパ浮腫治療用ベルト。
【請求項５】
縦方向となる縫目を有し、且つ、患者の陰のう、下腹部、及び股部の形状に合わせて形成されたクッションと、前記クッションと前記請求項４記載のリンパ浮腫治療用ベルトの中間合流部とを着脱自在な着脱部と、を備え、
前記請求項４に記載のリンパ浮腫治療用ベルトの着用時に前記クッションが患者の下腹部及び股部を加圧するように、前記シート部及び前記中間合流部の内側に装着し得る、
ことを特徴とするリンパ浮腫治療用股間部パット。
【手続補正２】
【補正対象書類名】明細書
【補正対象項目名】全文
【補正方法】変更
【補正の内容】
【考案の詳細な説明】
【技術分野】
【０００１】
本考案は、リンパ浮腫によるむくみを和らげることを目的とする、リンパ浮腫治療用ベルト、リンパ浮腫治療用腹部パット、リンパ浮腫治療用陰部パット、リンパ浮腫治療用股間部パットに関する。
【背景技術】
【０００２】
一般に、リンパ浮腫には様々な原因があるとされているが、主として、癌手術によるリンパ節の切除や放射線照射によるリンパ管の破損などによって、リンパ管が閉塞して起こる場合が多い。リンパ液を貯留するリンパ管が閉塞されると、リンパ循環が阻害され、皮下組織内にリンパ液が滞留して浮腫が生じる。
【０００３】
リンパ浮腫によるむくみを和らげる治療として、薬物療法は即効性を期待できないのが現状であり、むくんだ患部を挙上する、動かす又は刺激する（リンパ誘導マッサージ等）などしてむくみを軽減し、軽減状態を維持するために該患部を圧迫し、リンパ液の流れを改善するものなどが知られている。
【０００４】
このような治療に用いられるものとして、種々の弾性ストッキング又は弾性スリ−ブが存在する。また、このような弾性ストッキング又は弾性スリーブの中には、本体にベルトが複数本備えられたもの（例えば特許文献１）もあり、これらのベルトを締め付けることにより、むくんだ患部をその外側から加圧し、リンパ液の流れを改善することでむくみを和らげている。
【０００５】
【特許文献１】特表平１１−５０１８２８号公報
【考案の開示】
【考案が解決しようとする課題】
【０００６】
しかし、上述したような弾性ストッキングや弾性スリーブは、普通のストッキングやスリーブとは異なり、伸縮性が強かったり、身体を覆う部分が長かったりしていて、着用補助グッズが存在する程、患者によっては着用が困難な場合が多い。
【０００７】
また、上述したような弾性ストッキングや弾性スリーブは、圧力の強さにより種類が分かれているため、選択が多様化することで患者が負担に感じる虞がある。
【０００８】
また、上述したような複数のベルトを備えた弾性ストッキングや弾性スリーブは、着用すると上述のベルトがかさ張ってしまうため、目立ってしまうという問題がある。そのため、患者の精神的苦痛に対する配慮に欠ける虞があった。
【０００９】
そこで、本考案は、容易に着用でき、且つ、着用時に目立つことがなく、十分に加圧できるリンパ浮腫治療用ベルト、リンパ浮腫治療用腹部パット、リンパ浮腫治療用陰部パット、リンパ浮腫治療用股間部パットを提供することを目的とする。
【課題を解決するための手段】
【００１０】
上記課題を解決するため、請求項１に係る本考案は（例えば図１乃至図３、及び図６乃至図８参照）、ベルト状に形成され、患者（１００）のウエスト部（１０３）に巻着自在なウエストベルト部（２１）と、ベルト状で両端が二股形状（２２ａ，２２ｃ）に形成され、一端の二股形状部分（２２ａ）の両先端部（Ｐ２）が前記ウエストベルト部（２１）の腰位置（１１０）付近に固着され、他端の二股形状部分（２２ｃ）の両先端部（Ｐ１）が前記ウエストベルト部（２１）の左右脇腹（１０９ａ，１０９ｂ）付近に張着自在な加圧ベルト部（２２）と、前記他端の二股形状部分（２２ｃ）の股割れ付根部分にシート状に張着されたシート部（２３Ａ，２３Ｂ）と、を備え、着用時に患者（１００）の股部（１１２）を通る中間合流部（２２ｂ）及び前記他端の二股形状部分（２２ｃ）及び前記シート部（２３Ａ，２３Ｂ）が、患者の陰部（１０２）、鼠径部（１０４）及び下腹部（１０１）をリンパ液の流れを良好にする方向（例えば矢印Ｄ方向，矢印Ｅ方向、矢印Ｉ方向、矢印Ｊ方向）に加圧する、
ことを特徴とするリンパ浮腫治療用ベルト（２０Ａ，２０Ｂ）にある。
【００１１】
請求項２に係る本考案は（例えば図４参照）、装着時に上下方向（例えば矢印Ｆ方向）となる縫目（３１）を有し、且つ、患者（１００）の下腹部（１０１）の形状に合わせて形成されたクッション（３３，３４）を２枚備え、前記２枚のクッション（３３，３４）が上方に向けて開口された開口部（３２）を有するように袋状に縫合され、前記開口部（３２）に手を挿入しながら、前記請求項１に記載のリンパ浮腫治療用ベルト（２０Ａ）のシート部（２３Ａ）の内側に患者の腹部を加圧するように装着し得る、
ことを特徴とするリンパ浮腫治療用腹部パット（３０）にある。
【００１２】
請求項３に係る本考案は（例えば図５参照）、縦方向に縫目（４４）を有するクッション本体（４０Ｍ）と、前記クッション本体（４０Ｍ）の横方向両端に折り返し自在な２つの羽根部（４１Ａ，４１Ｂ）と、前記羽根部（４１Ａ，４１Ｂ）に設けられ、前記請求項１記載のリンパ浮腫治療用ベルト（２０Ａ）の中間合流部（２２ｂ）に前記２つの羽根部（４１Ａ，４１Ｂ）を折り返して巻回した際に互いの前記羽根部（４１Ａ，４１Ｂ）を付着自在な付着部（４２Ａ，４２Ｂ）と、を備え、前記請求項１に記載のリンパ浮腫治療用ベルト（２０Ａ）の着用時に前記クッション本体（４０Ｍ）が患者（１００）の陰部（１０２）を加圧するように、前記中間合流部（２２ｂ）に装着し得る、
ことを特徴とするリンパ浮腫治療用陰部パット（４０）にある。
【００１３】
請求項４に係る本考案は（例えば図６及び図８参照）、前記シート部が、陰のう（１１１）を身体の左右方向における内側方向（例えば矢印Ｉ方向）に加圧支持し、且つ、下腹部（１０１）をリンパ液の流れを良好にする方向（例えば矢印Ｊ方向）に加圧する２枚の左右シート（２５ａ，２５ｂ）と、を備え、前記左右シート（２５ａ，２５ｂ）が左右位置に配置されるように縫合されてカップ状に形成され、男性の患者が着用し得るように構成された、
ことを特徴とする請求項１に記載のリンパ浮腫治療用ベルト（２０Ｂ）にある。
【００１４】
請求項５に係る本考案は（例えば図８及び図９参照）、縦方向となる縫目（５８）を有し、且つ、患者の陰のう（１１１）、下腹部（１０１）、及び股部（１１２）の形状に合わせて形成されたクッション（５７）と、前記クッション（５７）と前記請求項４記載のリンパ浮腫治療用ベルト（２０Ｂ）の中間合流部（２２ｂ）とを着脱自在な着脱部（５９）と、を備え、
前記請求項４に記載のリンパ浮腫治療用ベルト（２０Ｂ）の着用時に前記クッション（５７）が患者の下腹部（１０１）及び股部（１１２）を加圧するように、前記シート部（２３Ｂ）及び前記中間合流部（２２ｂ）の内側に装着し得る、
ことを特徴とするリンパ浮腫治療用股間部パット（５０）にある。
【００１５】
なお、上記カッコ内の符号は、図面と対照するためのものであるが、これは、考案の理解を容易にするための便宜的なものであり、実用新案登録請求の範囲の構成に何等影響を及ぼすものではない。
【考案の効果】
【００１６】
請求項１に係る本考案によると、加圧ベルト部における他端の二股形状部分の両先端部をウエストベルト部の左右脇腹部に張着しつつ本リンパ浮腫治療用ベルトを着用することで、加圧ベルト部の中間合流部及び他端の二股形状部分及びシート部が、患者の陰部、下腹部及び鼠径部をリンパ液の流れを良好にする方向に加圧するので、例えば従来の弾性ストッキング等と比して、容易に着用でき、かさ張らないものでありながら、患者の陰部、鼠径部、及び下腹部におけるリンパ液の流れを特に心臓方向に向けて補助する形で、その流れを良好にすることができ、リンパ液が溜まることを防ぐことができて、むくみを和らげることができる。また、加圧ベルト部の他端の二股形状部をウエストベルト部に張度を調節しつつ着用することができるので、患者の身体やむくみの度合いによって加圧ベルト部の締め具合を緩めたり、きつくしたりすることができ、患者の長時間に及ぶ着用にも適応することができる。なお、リンパ浮腫治療用パンツと同時に着用することで更に患者の下腹部や鼠径部をリンパ液の流れを良好にする方向に加圧するので、更にむくみを和らげることもできる。
【００１７】
請求項２に係る本考案によると、特に女性の患者がリンパ浮腫治療用ベルトのシート部の内側に装着することで、患者の下腹部への加圧をより強くすると共に、上下方向に向いた縫目がリンパ液の流れを阻害せずに良好にする方向に加圧するので、例えば従来の弾性ストッキング等と比して、容易に着用でき、かさ張らないものでありながら、下腹部におけるリンパ液の流れをより良好にすることができ、リンパ液が溜まることを防ぐことができて、むくみを和らげることができる。また、患者の下腹部の形状に合わせて形成された２枚のクッションが、上方に向けて開口されるように袋状に縫合されており、開口部に手を挿入しながら装着できるので、容易に位置合わせができると共に、簡単に装着することができる。
【００１８】
請求項３に係る本考案によると、特に女性の患者がリンパ浮腫治療用ベルトの中間合流部に巻回装着した状態で該リンパ浮腫治療用ベルトを着用することで、患者の陰部への加圧をより強くすると共に、縦方向の縫目がリンパ液の流れを阻害せずに良好にする方向に加圧するので、例えば従来の弾性ストッキング等と比して、容易に着用でき、かさ張らないものでありながら、陰部におけるリンパ液の流れをより良好にすることができ、リンパ液が溜まることを防ぐことができて、むくみを和らげることができる。また付着部によって中間合流部に対する装着状態を維持するので、患者が用便等でリンパ浮腫治療用ベルトを外した際に脱落することを防ぐことができる。
【００１９】
請求項４に係る本考案によると、左右シートが、陰のうを身体の左右方向における内側方向に加圧支持し、且つ、下腹部をリンパ液の流れを良好にする方向に加圧するように、シート部がカップ状に形成されているので、特に男性の患者が該リンパ浮腫治療用ベルトを着用した際に、陰のうを外側に押し広げることなく内側に適度に加圧して支持し、例えば陰のうがむくんだ太腿によって圧迫されることを防ぐ。更に、例えば従来の弾性ストッキング等と比して、容易に着用でき、かさ張らないものでありながら、下腹部におけるリンパ液の流れを良好にすることができ、リンパ液が溜まることを防ぐことができて、むくみを和らげることができる。
【００２０】
請求項５に係る本考案によると、特に男性の患者が請求項４に記載のリンパ浮腫治療用ベルトのシート部及び中間合流部の内側に装着することで、患者の下腹部及び股部への加圧をより強くし、且つ縦方向に向いた縫目がリンパ液の流れを阻害せずに良好にする方向に加圧するので、例えば従来の弾性ストッキング等と比して、容易に着用でき、かさ張らないものでありながら、下腹部及び股部におけるリンパ液の流れをより良好にすることができ、リンパ液が溜まることを防ぐことができて、むくみを和らげることができる。また着脱部によって中間合流部に対する装着状態を維持することができるので、患者が用便等でリンパ浮腫治療用ベルトを外した際に脱落することを防ぐことができる。
【考案を実施するための最良の形態】
【００２１】
以下、本考案を実施するための最良の形態について、図面を用いて詳細に説明する。
【００２２】
＜実施の形態１＞
以下、本考案に係る実施の形態１を図１及び図３に沿って説明する。図１は本実施の形態１に係るリンパ浮腫治療用ベルトを示す正面図、図２は実施の形態１に係るリンパ浮腫治療用ベルトを示す背面図、図３は実施の形態１に係るリンパ浮腫治療用ベルトを示す模式展開図である。
【００２３】
なお、以下の説明において、例えば患者１００の身体の各部について、胴体前側の下方付近における図１中破線で示す部分１０１を「下腹部」、下腹部１０１の下方側で股付近における図１及び図２中破線で示す部分１０２を「陰部」、骨盤よりも上方で胸郭よりも下方である胴回りの中間部分における図１及び図２中破線で示す部分１０３を「ウエスト部」、上記下腹部１０１の左右両側であって両足付根の前側付近における図１中破線で示す部分１０４を「鼠径部」、図２中破線１０６よりも上側部分１０６ａを「股上部」、該破線１０６よりも下側部分１０６ｂを「股下部」という。また、ウエスト部１０３の左右両側における図１中破線で示す部分１０９ａ，１０９ｂを「左右脇腹」、ウエスト部の後側の中程における図２中破線で示す部分１１０を「腰位置」、陰部１０２を含む両足付根の内側近傍における図４及び図５中破線で示す部分１１２を「股部」という。
【００２４】
図３に示すように、本リンパ浮腫治療用ベルト２０Ａは、特に女性が着用するに好適であり、大まかに、ウエストベルト部２１と、加圧ベルト部２２と、シート部２３Ａとを備えて構成されている。
【００２５】
ウエストベルト部２１は、１本のベルト状に形成されており、端部２１ａ及び端部２１ｂに図示を省略したマジックテープ（登録商標）が備えられている。また、ウエストベルト部２１の、着用時に左右脇腹付近１０９ａ，１０９ｂに位置する部分には（図１参照）、フック２４Ａ，２４Ｂが固着されている。
【００２６】
加圧ベルト部２２は、２本のベルト２２Ａ，２２Ｂが中間部分において縫い合わされて形成されており、全体として、両端が二股形状に形成されている。これにより、一端の二股形状部２２ａ、中間合流部２２ｂ、他端の二股形状部２２ｃが形成されることになる。その二股形状部２２ａの両先端部Ｐ２，Ｐ２は、上記ウエストベルト部２１の、装着時に腰付近１１０の位置となる部分に（図２参照）、縫い合わされて固着されている。また、他端の二股形状部２２ｃの先端部Ｐ１，Ｐ１は、所定の長さのマジックテープ（登録商標）部分２２ｄ，２２ｄに形成されている。
【００２７】
そして、シート部２３Ａは、例えば伸縮性を有する素材で形成されており、上記二股形状部２２ｃの二股形状である付根部分に対して縫い合わされてシート状に張着されている。
【００２８】
なお、ウエストベルト部２１及び加圧ベルト２２の２本のベルト２２Ａ，２２Ｂは、縁部分が、図１及び図２中の破線で示すようにスティッチされて（縫われて）、解れないように形成されているが、その縫目が内側（身体に密着する側）に突出しないようにスティッチされており、つまり縫目がリンパ液の流れを阻害しないように形成されている。また、中間合流部２２ｂにおけるベルト２２Ａ，２２Ｂの縫い合わせ部分やシート部２３Ａの縫い合わせ部分についても同様に内側に突出しないようにスティッチされている。
【００２９】
次いで、本リンパ浮腫治療用ベルト２０Ａを装着する際は、まず、図１に示すように、ウエストベルト部２１を患者１００のウエスト部１０３に巻回し、端部２１ａ，２１ｂを重ね合わせて不図示のマジックテープ（登録商標）を付着させることによって、該ウエスト部１０３に巻着させる。つづいて、図２に示すように、加圧ベルト部２２を腰部１１０より股部１１２を通して身体の前側に這わせ、図１に示すように、二股形状部２２ｃの先端部Ｐ１，Ｐ１をフック２４，２４にそれぞれ通して折り返し、患者１００が張度を調整しつつ引っ張りながらマジックテープ（登録商標）部分２２ｄ，２２ｄを貼り合わせる。
【００３０】
これにより、本リンパ浮腫治療用ベルト２０Ａを装着すると、ウエストベルト部２１が巻着されることによりウエスト部１０３に対して位置決めされると共に、加圧ベルト部２２のフック２４，２４に対する張度に応じて、中間合流部２２ｂが陰部１０２を加圧すると共に、二股形状部２２ｃが下腹部１０１乃至鼠径部１０４を矢印Ｄ方向に引っ張る形で加圧する。また、シート部２３Ａが下腹部１０１を矢印Ｅ方向に引っ張る形で加圧する。そのため、陰部１０２、下腹部１０１、及び鼠径部１０４におけるリンパ液が皮下組織内に溜まることを防ぐように加圧して、また、リンパ液の流れを心臓方向に向けて補助する形で良好にする。
【００３１】
以上説明した本リンパ浮腫治療用ベルト２０Ａによると、例えば従来の弾性ストッキング等と比して、容易に着用でき、かさ張らないものでありながら、特に女性が着用した場合、患者の陰部１０２、鼠径部１０４、及び下腹部１０１におけるリンパ液の流れを特に心臓方向に向けて補助する形で、その流れを良好にすることができ、リンパ液が溜まることを防ぐことができて、むくみを和らげることができる。また、加圧ベルト部２２の二股形状部２２ｃをウエストベルト部２１に張度を調節しつつ着用することができるので、患者１００の身体やむくみの度合いによって加圧ベルト部２２の締め具合を緩めたり、きつくしたりすることができ、患者の長時間に及ぶ着用にも適応することができる。
【００３２】
なお、以上説明した本実施の形態１に係るリンパ浮腫治療用ベルト２０Ａは、これ単体で使用する場合、患者の病状が重度の場合に用いて好適であるが、図１及び図２に示すように、例えば下腹部や鼠径部等を加圧するパンツ１Ａ等と同時に着用することができて、更に患者の下腹部１０１や鼠径部１０４をリンパ液の流れを良好にする方向に加圧することができ、更にむくみを和らげることもできる。
【００３３】
また、本実施の形態１に係るリンパ浮腫治療用ベルト２０Ａにおいては、ウエストベルト部２１の端部２１ａ，２１ｂや二股形状部２２ｃの先端部分にマジックテープ（登録商標）を用いたものを説明したが、これに限らず、例えばボタン、フック、バックル等を用いてもよく、つまりウエストベルト部２１がウエスト部１０３に巻着でき、加圧ベルト部２２が張度を調整しつつウエストベルト部２１に張着できるものであれば、どのようなものであってもよい。
【００３４】
＜実施の形態２＞
つづいて、本考案に係る実施の形態２について、図４に沿って説明する。図４は本実施の形態２に係るリンパ浮腫治療用腹部パットを示す正面図である。
【００３５】
図４に示すように、本リンパ浮腫治療用腹部パット３０は、上述の実施の形態１に係るリンパ浮腫治療用ベルト２０Ａを着用した女性の患者が使用するに好適であり、２枚のクッション３３，３４を備えて構成されている。
【００３６】
各クッション３３，３４は、概ね患者１００の下腹部１０１の形状に合わせた平面視略逆三角形状に形成されており、言い換えると、上記リンパ浮腫治療用ベルト２０Ａのシート部２３Ａの形状に合わせて形成されている。また、各クッション３３，３４は、内部にウレタンフォームが詰められて形成されていると共に、装着時に上下方向となる縫目３１を有して内部のウレタンフォームが偏らないように形成されており、縫目３１と縫目３１との間に凸形状が形成されて、つまり縦方向の蒲鉾形状が並列に存するように形成されている。
【００３７】
２枚のクッション３３，３４は、両横部分及び下方部分が縫目３５により互いに縫い合わされて、上方に向けて開口された開口部３２を有するように縫い合わされており、つまりリンパ浮腫治療用腹部パット３０は、袋部３６を有する袋状に形成されている。
【００３８】
本リンパ浮腫治療用腹部パット３０を装着する際は、まず、患者が上記リンパ浮腫治療用ベルト２０Ａを着用し、その後、開口部３２より袋部３６に手を挿入して、上記リンパ浮腫治療用ベルト２０Ａのシート部２３Ａの内側にその手を挿入する形で該リンパ浮腫治療用腹部パット３０を装着する。
【００３９】
これにより、上記リンパ浮腫治療用ベルト２０Ａのシート部２３Ａの加圧（張力）によってリンパ浮腫治療用腹部パット３０が下腹部１０１に押し付けられて、下腹部１０１を加圧する。この際、上述のようにクッション３３，３４の縫目３１が上下方向となるので、矢印Ｆ方向、即ち心臓方向にリンパ液の流れを補助する形で、リンパ液の流れを良好にする。
【００４０】
なお、例えばクッション３３，３４に横方向の縫目を設けると、クッション３３，３４の表面に横方向の凹凸ができてしまうため、リンパ液の流れを阻害する虞がある。また、縫目を全く設けないと、クッション３３，３４内にあるウレタンフォームが偏って、結果的に横方向の凹凸が生じてしまう虞がある。そのため、本リンパ浮腫治療用腹部パット３０においては、上下方向のみに縫目が設けられている。
【００４１】
また、クッション３３，３４は同形状に形成されており、つまり患者が本リンパ浮腫治療用腹部パット３０を装着する際に、表裏を選ぶ必要がないように構成されている。
【００４２】
更に、上述の袋部３６は、患者の手の大きさを考慮した適宜な大きさであることが好ましいが、少なくとも指が挿入し得る大きさであれば、同様に使用できることはいうまでもない。
【００４３】
以上説明した本リンパ浮腫治療用腹部パット３０によると、特に女性の患者がリンパ浮腫治療用ベルト２０Ａのシート部２３Ａの内側に装着することで、患者の下腹部１０１への加圧をより強くすると共に、上下方向に向いた縫目がリンパ液の流れを阻害せずに良好にする方向に加圧するので、下腹部１０１におけるリンパ液の流れをより良好にすることができ、リンパ液が溜まることを防ぐことができて、むくみを和らげることができる。また、患者の下腹部１０１の形状に合わせて形成された２枚のクッション３３，３４が、上方に向けて開口されるように袋状に縫合されており、開口部３２に手を挿入しながら装着できるので、容易に位置合わせができると共に、簡単に装着することができる。
【００４４】
なお、以上説明した本実施の形態２に係るリンパ浮腫治療用腹部パット３０は、リンパ浮腫治療用ベルト２０Ａと組み合わせて用いるものであって、患者の病状が（特に下腹部において）更に重度の場合に用いて好適であり、着用しても目立つことがなく、患者の下腹部１０１や鼠径部１０４をリンパ液の流れを良好にする方向に加圧することができ、むくみを和らげることができる。
【００４５】
また、本実施の形態２に係るリンパ浮腫治療用腹部パット３０においては、クッション３３，３４の内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。
【００４６】
＜実施の形態３＞
つづいて、本考案に係る実施の形態３について、図５に沿って説明する。図５は実施の形態３に係るリンパ浮腫治療用陰部パットを示す図で、（ａ）は正面図、（ｂ）は装着時の斜視図である。
【００４７】
図５（ａ）に示すように、本リンパ浮腫治療用陰部パット４０は、上述の実施の形態１に係るリンパ浮腫治療用ベルト２０Ａを着用した女性の患者が使用するに好適であり、本体４０Ｍと羽根部４１Ａ，４１Ｂとを備えて構成されている。
【００４８】
上記本体４０Ｍ及び羽根部４１Ａ，４１Ｂは、内部にウレタンフォームが詰められた１枚のクッションで構成されており、平面視略菱形状に形成されている。また、上記本体４０Ｍ及び羽根部４１Ａ，４１Ｂには、縦方向に縫目４４を有して内部のウレタンフォームが偏らないように形成されており、縫目４４と縫目４４との間に凸形状が形成されて、つまり縦方向の蒲鉾形状が並列に存するように形成されている。
【００４９】
本体４０Ｍは、上記リンパ浮腫治療用ベルト２０Ａの中間合流部２２ｂの幅を有しており、その横方向両端部分が折り返し線４３，４３により折り返し自在な２つの羽根部４１Ａ，４１Ｂとなっている。
【００５０】
該羽根部４１Ａの端部近傍には、マジックテープ（登録商標）部（付着部）４２Ａが設けられており、反対側の羽根部４１Ｂの端部近傍には、上記マジックテープ（登録商標）部４２Ａとは反対側の面（つまり図中に示す面の裏面）にマジックテープ（登録商標）部（付着部）４２Ｂが設けられている。
【００５１】
本リンパ浮腫治療用陰部パット４０を装着する際は、まず、図５（ｂ）に示すように、上記リンパ浮腫治療用ベルト２０Ａの中間合流部２２ｂに、本体４０Ｍが内側となるように載置し、羽根部４１Ｂ、羽根部４１Ａを順に折り返し線４３，４３で折り返して巻回し、マジックテープ（登録商標）部４２Ｂにマジックテープ（登録商標）部４２Ａを付着させて、即ち羽根部４１Ａ，４２Ｂ同士を互いに付着させる。これにより、リンパ浮腫治療用陰部パット４０が上記リンパ浮腫治療用ベルト２０Ａの中間合流部２２ｂに装着される。そして、その後、患者が上記リンパ浮腫治療用ベルト２０Ａを着用すると、患者の陰部１０２と中間合流部２２ｂとの間に本体４０Ｍが配置されるように装着される。
【００５２】
これにより、上記リンパ浮腫治療用ベルト２０Ａの中間合流部２２ｂによってリンパ浮腫治療用陰部パット４０が陰部１０２に押し付けられて、陰部１０２を加圧する。この際、上述のように本体４０Ｍの縫目４４が縦方向であって、身体の前後方向となるので、矢印Ｇ−Ｈ方向にリンパ液の流れを補助する形で、リンパ液の流れを良好にする。
【００５３】
なお、上述のリンパ浮腫治療用腹部パット３０と同様に、例えばリンパ浮腫治療用陰部パット４０のクッションに横方向の縫目を設けると、表面に横方向の凹凸ができてしまうため、リンパ液の流れを阻害する虞がある。また、縫目を全く設けないと、クッション内にあるウレタンフォームが偏って、結果的に横方向の凹凸が生じてしまう虞がある。そのため、本リンパ浮腫治療用陰部パット４０においても、縦方向のみに縫目が設けられている。
【００５４】
また、本リンパ浮腫治療用陰部パット４０は表裏が略々同形状に形成されており、つまり患者が本リンパ浮腫治療用陰部パット４０を装着する際に、表裏を選ぶ必要がないように構成されている。なおこの際は、マジックテープ（登録商標）部４２Ａ，４２Ｂが雄雌逆になるが、付着させる機能として何ら変わりはない。
【００５５】
以上説明した本リンパ浮腫治療用陰部パット４０によると、特に女性の患者がリンパ浮腫治療用ベルト２０Ａの中間合流部２２ｂに巻回装着した状態で該リンパ浮腫治療用ベルトを着用することで、患者の陰部１０２への加圧をより強くすると共に、縦方向の縫目がリンパ液の流れを阻害せずに良好にする方向に加圧するので、陰部１０２におけるリンパ液の流れをより良好にすることができ、リンパ液が溜まることを防ぐことができて、むくみを和らげることができる。またマジックテープ（登録商標）部４２Ａ，４２Ｂによって中間合流部２２ｂに対する装着状態を維持することができるので、患者が用便等でリンパ浮腫治療用ベルト２０Ａを外した際に脱落することを防ぐことができる。
【００５６】
なお、本実施の形態３においては、羽根部４１Ａ，４１Ｂを互いに付着させるものの一例としてマジックテープ（登録商標）部４２Ａ，４２Ｂを用いたものを説明したが、特に羽根部４１Ａ，４１Ｂは患者の身体に触れない外側に位置するので、ボタンやフック等によって付着させるようなものであってもよい。
【００５７】
更に、本実施の形態３において、クッション本体４０Ｍ及び羽根部４１Ａ，４１Ｂの内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。
【００５８】
また、以上説明した本実施の形態３に係るリンパ浮腫治療用陰部パット４０は、リンパ浮腫治療用ベルト２０Ａと組み合わせて用いるものであって、患者の病状が（特に陰部において）更に重度の場合に用いて好適で、着用しても目立つことがなく、患者の陰部１０２をリンパ液の流れを良好にする方向に加圧することができ、むくみを和らげることができる。
【００５９】
＜実施の形態４＞
ついで、上記実施の形態１を一部変更した実施の形態４について、図６及び図７に沿って説明する。図６は実施の形態４に係るリンパ浮腫治療用ベルトを示す模式展開図、図７は実施の形態４に係るリンパ浮腫治療用ベルトのシート部を示す拡大正面図である。なお、以下に説明する実施の形態４に係るリンパ浮腫治療用ベルト２０Ｂおいては、実施の形態１に係るリンパ浮腫治療用ベルト２０Ａと略々同様の構成であるので、同様な部分には同符号を付して、その説明を省略し、相違する部分だけを説明する。
【００６０】
なお、以下の説明において、例えば患者１００の身体の部分について、下腹部１０１の下方側であって、男性の陰部付近における図７中破線で示す部分１１１を「陰のう」という。また、その他の部分は、実施の形態１と同様な符号を付して、同様に定義する。
【００６１】
図６乃至図７に示すように、本リンパ浮腫治療用ベルト２０Ｂは、男性の患者が着用するに好適であり、上述したリンパ浮腫治療用ベルト２０Ａのシート部２３Ａの代わりに、カップ状に形成されたシート部２３Ｂを備えたものである。該シート部２３Ｂは、図７に示すように、左右位置に配置される２枚のシート２５ａ，２５ｂが略々中央で縫合されてカップ状に形成されており、詳細には、シート部２３Ｂの下部が男性の陰のう１１１に合わせた形状に形成され、また、シート部２３Ｂの上部が男性の下腹部１０１に密着するように形成されている。
【００６２】
上述の実施の形態１と同様に、リンパ浮腫治療用ベルト２０Ｂを装着すると、ウエストベルト部２１が巻着されることによりウエスト部１０３に対して位置決めされると共に、加圧ベルト部２２のフック２４，２４に対する張度に応じて、二股形状部２２ｃが下腹部１０１乃至鼠径部１０４を引っ張る形で加圧する。そして、シート部２３Ｂの下部が陰のう１１１を矢印Ｉ方向で示す身体の左右方向における内側方向に加圧支持し、上部が下腹部１０１を矢印Ｊ方向に引っ張る形で加圧する。そのため、陰のう１１１を左右外側に押し広げることなく、内側に適度に加圧して支持し、例えば太腿がむくんでしまった際に陰のう１１１がむくんだ太腿によって圧迫されることを防ぐと共に、下腹部１０１、及び鼠径部１０４におけるリンパ液が皮下組織内に溜まることを防ぐように満遍なく加圧して、また、リンパ液の流れを心臓方向に向けて補助する形で良好にする。
【００６３】
以上説明した本男性用リンパ浮腫治療用ベルト２０Ｂによると、シート部２３Ｂの下部が陰のう１１１を身体の左右方向に対する内側方向に加圧支持すると共に、上部が下腹部１０１をリンパ液の流れを良好にする方向に加圧するように、全体としてシート部２３Ｂがカップ状に形成されているので、特に男性の患者がリンパ浮腫治療用ベルト２０Ｂを着用した際に、陰のう１１１を外側に押し広げることなく内側に適度に加圧して支持し、例えば太腿がむくんでしまった際に陰のう１１１がむくんだ太腿によって圧迫されることを防ぐと共に、下腹部１０１及び鼠径部１０４におけるリンパ液の流れを良好にすることができ、リンパ液が溜まることを防ぐことができて、むくみを和らげることができる。
【００６４】
なお、以上説明した本実施の形態４に係るリンパ浮腫治療用ベルト２０Ｂは、患者の病状が重度の場合に用いて好適である。
【００６５】
＜実施の形態５＞
つづいて、本考案に係る実施の形態５について、図８及び図９に沿って説明する。図８は実施の形態５に係るリンパ浮腫治療用股間部パットの装着時を示す斜視図、図９は実施の形態５に係るリンパ浮腫治療用股間部パットを示す正面図である。
【００６６】
図８及び図９に示すように、本リンパ浮腫治療用股間部パット５０は、上述の実施の形態４に係るリンパ浮腫治療用ベルト２０Ｂを着用した男性の患者が使用するに好適であり、１枚のクッション５７の上部５７Ａが装着時にカップ状をなるように形成されると共に、下部５７Ｂが該上部５７Ａと一体的に帯状に延設された形状に形成されて構成されている。
【００６７】
詳細には、該クッション５７の上部５７Ａが、概ね患者１００の下腹部１０１及び陰のう１１１の形状に合わせた平面視略扇形状に形成されていると共に、下部５７Ｂが概ね患者１００の股部１１２の形状に合わせた平面視略長方形状に形成されており、言い換えると、上記リンパ浮腫治療用ベルト２０Ｂのシート部２３Ｂ及び中間合流部２２ｂの形状に合わせて形成されている。また、クッション５７は、内部にウレタンフォームが詰められて形成されていると共に、装着時に上部５７Ａにおいては略々上下方向、下部５７Ｂにおいては略々身体の前後方向となる縦方向の縫目５８を有して内部のウレタンフォームが偏らないように形成されており、縫目５８と縫目５８との間に凸形状が形成されて、つまり縦方向の蒲鉾形状が並列に存するように形成されている。また、該クッション５７の下部５７Ｂの先端付近には、マジックテープ（登録商標）部（着脱部）５９が設けられている。なお、リンパ浮腫治療用ベルト２０Ｂの中間合流部２２ｂの内側にも、装着時に該マジックテープ（登録商標）部５９と対向する位置に不図示のマジックテープ（登録商標）部が設けられており、つまり両者が着脱自在に構成されている。
【００６８】
なお、図９中の縫目５８は、クッション５７の上部において、上下方向に対して湾曲する形で表示しているが、これは平面図面として表示した結果であり、装着時にカップ状となるように形成されるクッション５７の上部において、縫目５８は図８に示すように略々上下方向であり、前記中間合流部２２ｂに密着するクッション５７の下部においては略々身体の前後方向である。
【００６９】
本リンパ浮腫治療用股間部パット５０を装着する際は、まず、患者１００が上記リンパ浮腫治療用ベルト２０Ｂのシート部２３Ｂ及び中間合流部２２ｂの内側に該リンパ浮腫治療用腹部パット５０を載置し、クッション５７のマジックテープ（登録商標）部５９を該リンパ浮腫治療用ベルト２０Ｂの中間合流部２２ｂの内側のマジックテープ（登録商標）部（不図示）に付着させる。その後、患者が上記リンパ浮腫治療用ベルト２０Ｂを着用すると、患者の股部１１２と中間合流部２２ｂとの間にクッション５７の下部５７Ｂが、患者の下腹部１０１とシート部２３Ｂの間にクッション５７の上部５７Ａが配置されるように装着される。
【００７０】
これにより、上記リンパ浮腫治療用ベルト２０Ｂのシート部２３Ｂの加圧（張力）によってリンパ浮腫治療用股間部パット５０のクッション５７の上部５７Ａが、下腹部１０１を矢印Ｌ方向に引っ張る形で更に強く加圧すると共に上記リンパ浮腫治療用ベルト２０Ｂの中間合流部２２ｂによってリンパ浮腫治療用股間部パット５０のクッション５７の下部５７Ｂが中間合流部２２ｂに押し付けられて、股部１１２を加圧する。この際、上述のようにクッション５７の縫目５８が上下方向となるので、矢印Ｌ方向、即ち心臓方向に下腹部１０１のリンパ液の流れを補助する形で、リンパ液の流れを良好にすると共に、股部１１２においては、クッション５７の縫目５８が身体の前後方向となるので、矢印Ｍ−Ｎ方向にリンパ液の流れを補助する形で、リンパ液の流れを良好にする。また、陰のう１１１を身体の左右方向における内側方向により強く加圧支持し、例えば陰のう１１１がむくんだ太腿によって圧迫されることを防ぐ。更に、マジックテープ（登録商標）部５９によって中間合流部２２ｂに対する装着状態を維持することができるので、患者が用便等でリンパ浮腫治療用ベルト２０Ｂを外した際に脱落することを防ぐことができる。
【００７１】
なお、上述の実施の形態２及び実施の形態３と同様に、例えばリンパ浮腫治療用股間部パット５０のクッションに横方向の縫目を設けると、表面に横方向の凹凸ができてしまうため、リンパ液の流れを阻害する虞がある。また、縫目を全く設けないと、クッション内にあるウレタンフォームが偏って、結果的に横方向の凹凸が生じてしまう虞がある。そのため、本リンパ浮腫治療用股間部パット５０においても、縦方向のみに縫目が設けられている。
【００７２】
以上説明した本リンパ浮腫治療用股間部パット５０によると、特に男性の患者がリンパ浮腫治療用ベルト２０Ｂのシート部２３Ｂの内側に着用することで、患者の陰のう１１１を内側に適度に加圧して支持し、例えば陰のう１１１がむくんだ太腿によって圧迫されることを防ぐと共に下腹部１０１への加圧をより強くし、且つ上下方向に向いた縫目５８がリンパ液の流れを阻害せずに良好にする方向に加圧するので、下腹部１０１におけるリンパ液の流れをより良好にすることができ、リンパ液が溜まることを防ぐことができて、むくみを和らげることができる。
【００７３】
なお、本実施の形態５において、クッション５７の内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。また、着脱部５９の一例としてマジックテープ（登録商標）を用いたものを説明したが、ボタンやフック等によって装着させるようなものであってもよい。
【００７４】
以上、本考案をその好適な各実施の形態に基づいて説明したが、本考案のリンパ浮腫治療用ベルト、リンパ浮腫治療用腹部パット、リンパ浮腫治療用陰部パット、リンパ浮腫治療用股間部パットは、上記各実施の形態の構成にのみ限定されるものではなく、上記実施の形態の構成から種々の修正及び変更を施したものに用いられるものも、本考案の請求の範囲に含まれる。
【図面の簡単な説明】
【００７５】
【図１】実施の形態１に係るリンパ浮腫治療用ベルトを示す正面図である。
【図２】実施の形態１に係るリンパ浮腫治療用ベルトを示す背面図である。
【図３】実施の形態１に係るリンパ浮腫治療用ベルトを示す模式展開図である。
【図４】実施の形態２に係るリンパ浮腫治療用腹部パットを示す正面図である。
【図５】実施の形態３に係るリンパ浮腫治療用陰部パットを示す図で、（ａ）は正面図、（ｂ）は装着時の斜視図である。
【図６】実施の形態４に係るリンパ浮腫治療用ベルトを示す模式展開図である。
【図７】実施の形態４に係るリンパ浮腫治療用ベルトのシート部を示す拡大正面図である。
【図８】実施の形態５に係るリンパ浮腫治療用股間部パットの装着時を示す斜視図である。
【図９】実施の形態５に係るリンパ浮腫治療用股間部パットを示す正面図である。
【符号の説明】
【００７６】
２０Ａ    リンパ浮腫治療用ベルト
２０Ｂ    リンパ浮腫治療用ベルト
２１    ウエストベルト部
２２    加圧ベルト部
２２ａ    一端の二股形状部分
２２ｂ    中間合流部
２２ｃ    他端の二股形状部分
２３Ａ    シート部
２３Ｂ    シート部
２５ａ    右部シート
２５ｂ    左部シート
３０    リンパ浮腫治療用腹部パット
３１    縫目
３２    開口部
３３    クッション
３４    クッション
４０    リンパ浮腫治療用陰部パット
４０Ｍ    クッション本体
４１Ａ    羽根部
４１Ｂ    羽根部
４２Ａ    付着部（マジックテープ（登録商標）部）
４２Ｂ    付着部（マジックテープ（登録商標）部）
４４    縫目
５０    リンパ浮腫治療用股間部パット
５７    クッション
５８    縫目
５９    着脱部（マジックテープ（登録商標）部）
１００    患者
１０１    下腹部
１０２    陰部
１０３    ウエスト部
１０４    鼠径部
１０６ａ    股上部
１０６ｂ    股下部
１０９ａ    脇腹
１０９ｂ    脇腹
１１０    腰位置
１１２    股部
Ｐ１    他端の二股形状部分の先端部
Ｐ２    一端の二股形状部分の先端部
【手続補正３】
【補正対象書類名】図面
【補正対象項目名】全図
【補正方法】変更
【補正の内容】
【図１】
0003113340.tif 000015
【図２】
0003113340.tif 000016
【図３】
0003113340.tif 000017
【図４】
0003113340.tif 000018
【図５】
0003113340.tif 000019
【図６】
0003113340.tif 000020
【図７】
0003113340.tif 000021
【図８】
0003113340.tif 000022
【図９】
0003113340.tif 000023
【手続補正書】
【提出日】平成17年7月6日(2005.7.6)
【手続補正１】
【補正対象書類名】手続補正書
【補正対象項目名】手続補正４
【補正方法】削除
【補正の内容】